(57)【要約】      （修正有）【課題】扉体外面の中央位置に連続する一連のデザインを施すことができ、意匠面での多様化を図ることができる仏壇を提供する。【解決手段】仏壇本体１の開口部に扉体２を設け、扉体２は、開口部の幅をほぼ３等分した３枚の分割扉２１，２２，２３で構成している。左右各外側に位置する２枚の端部分割扉２１，２２を仏壇本体１の左右各側板の前部にそれぞれヒンジ４，５で枢着し、中間に位置する中間分割扉２３を左右いずれかの端部分割扉２１、２２の自由端にヒンジ６で枢着している。【選択図】図１
0003177388.tif 000002
【実用新案登録請求の範囲】
【請求項１】
仏壇本体（１）の開口部（１１）に扉体（２）を設けた仏壇であって、
前記扉体（２）は、前記開口部（１１）の幅をほぼ３等分した３枚の分割扉（２１，２２，２３）で構成しているとともに、
左右各外側に位置する２枚の端部分割扉（２１，２２）を仏壇本体（１）の左右各側板（１２，１３）の前部にそれぞれヒンジ（４，５）で枢着している一方、中間に位置する中間分割扉（２３）を左右いずれかの端部分割扉（２１又は２２）の自由端にヒンジ（６）で枢着している、
ことを特徴とする仏壇。
【請求項２】
請求項１において、
少なくとも左右いずれか一方の端部分割扉（２１）の裏面に、磁石（３４）によって吸着可能なフォトフレーム（３）を着脱自在に装着し得るようにしている、
ことを特徴とする仏壇。
【考案の詳細な説明】
【技術分野】
【０００１】
本願考案は、仏壇に関し、特に仏壇本体の開口部を開閉する扉体に特徴を有した仏壇に関するものである。
【背景技術】
【０００２】
従来の仏壇では、図６に示す左右に２分割した２枚扉２１Ａ，２２Ａの扉体２Ａを使用したものや、図７に示す左右に４分割した４枚扉２１Ｂ，２２Ｂ，２３Ｂ，２４Ｂの扉体２Ｂを使用したものがある。
【０００３】
図６に示す２枚扉の仏壇では、左右の分割扉２１Ａ，２２Ａが仏壇本体１の左右側板１２，１３の前部にそれぞれヒンジ４，５で枢着されている。又、図７に示す４枚扉の仏壇では、左右各外側分割扉２１Ｂ，２２Ｂが仏壇本体１の左右側板１２，１３の前部にそれぞれヒンジ４，５で枢着されている一方、各内側分割扉２３Ｂ，２４Ｂがそれぞれ各外側分割扉２１Ｂ，２２Ｂの自由端にヒンジ６，６で枢着されている。
【０００４】
そして、図６に示す２枚扉の扉体２Ａや、図７に示す４枚扉の扉体２Ｂでは、扉体を閉じた際に、仏壇本体１の開口幅の中央位置Ｓに左右の扉端部同士の突き合わせ部Ｐができることになる。
【考案の概要】
【考案が解決しようとする課題】
【０００５】
ところで、仏壇の扉体の外面には、種々の装飾（デザイン）が施されるが、扉体の中央付近は意匠的にメインになる箇所であって、デザイン面で一体に連続していることが望まれる。
【０００６】
ところが、従来から使用されている図６の２枚扉２Ａや図７の４枚扉２Ｂでは、扉体を閉じた際に、扉幅中央部Ｓに扉端部同士の突き合わせ部Ｐが形成されるので、扉体中央部（Ｓ部分）でデザイン・模様等が途切れてしまう。
【０００７】
従って、従来の２枚扉や４枚扉の仏壇では、扉中央部Ｓに突き合わせ部Ｐができることにより、扉外面のデザインの発展性が乏しくなるという欠点があった。
【０００８】
そこで、本願考案は、扉体を左右に分割したものであっても、扉端部同士の突き合わせ部が扉中央部に位置しないようにできる（扉外面のデザインの発展性を良好にし得る）仏壇を提供することを目的としてなされたものである。
【課題を解決するための手段】
【０００９】
本願考案は、上記課題を解決するための手段として次の構成を有している。
【００１０】
本願考案は、仏壇本体の開口部に扉体を設けた仏壇であって、扉体として、仏壇本体の開口部の幅をほぼ３等分した３枚の分割扉で構成している。尚、３枚の各分割扉は、それぞれの面積を単位として個別のデザインを施すことができる。
【００１１】
そして、前記扉体は、左右各外側に位置する２枚の端部分割扉を仏壇本体の左右各側壁の前部にそれぞれヒンジで枢着している一方、中間に位置する１枚の中間分割扉を左右いずれかの端部分割扉の自由端にヒンジで枢着して構成している。
【００１２】
このように、扉体として仏壇本体の開口幅をほぼ３等分する３枚の分割扉で構成し、該各分割扉を上記のように組付けると、中間分割扉が仏壇本体の開口幅の中央位置に跨がって配置されることになる。
【００１３】
又、本願考案の仏壇では、少なくとも左右いずれか一方の端部分割扉の裏面に、磁石によって吸着可能なフォトフレームを着脱自在に装着することができる。尚、このフォトフレームは、左右の端部分割扉のそれぞれ裏面（２箇所）に装着してもよい。
【００１４】
このフォトフレームには、例えば死亡した人（位牌の人）の写真を装着しておき、その写真入りのフォトフレームを端部分割扉の裏面に磁石で吸着させておくと、該端部分割扉を開く度にフォトフレームの写真を見ることができる。尚、このフォトフレームには、別の写真を入れ替えることができるとともに、該フォトフレームが磁石吸着式であるので、不要時にはフォトフレームを取外しておくこともできる。
【考案の効果】
【００１５】
本願考案の仏壇では、３分割された分割扉の中間分割扉が仏壇本体の開口幅の中央位置に配置されるので、扉体外面の中央位置のかなりの面積部分（中間分割扉の面積）が突き合わせ部のない一連の連続面となる。従って、扉体外面の中央位置のかなりの面積部分に連続する一連のデザインを施すことができるので、デザインの発展性が良好となって意匠面での多様化を図ることができるという効果がある。
【００１６】
又、端部分割扉の裏面に磁石吸着式のフォトフレームを装着し得るようにしたものでは、扉体（端部分割扉）を開放することでフォトフレームに装着した写真（故人の写真）を見るこてができ、扉体開放の度に故人に対するなつかしさが醸し出されるという効果がある。
【００１７】
尚、フォトフレームは磁石により着脱自在に装着されるので、フォトフレームが不要なときには該フォトフレームを分割扉裏面から取り外しておくことができ、自由度が拡がるという効果もある。
【図面の簡単な説明】
【００１８】
【図１】本願考案の実施例に係る仏壇の正面図である。
【図２】図１のII−II拡大断面図である。
【図３】図１のIII−III拡大断面図である。
【図４】図１の仏壇におけるフォトフレームの着脱方法説明図である。
【図５】図１及び図３のＶ−Ｖ拡大断面図である。
【図６】従来の２枚扉の仏壇の説明図である。
【図７】従来の４枚扉の仏壇の説明図である。
【考案を実施するための形態】
【００１９】
［実施例］
図１〜図５を参照して、本願考案の実施例を説明すると、図１〜図３に示す実施例の仏壇は、各種の仏具を収納・設置し得る仏壇本体１の開口部１１に扉体２を開閉自在に取付けて構成されている。
【００２０】
この実施例で採用されている仏壇は、比較的小型のものであって、特に限定するものではないが例えば高さが５００〜６００mm、幅が３８０〜４００mm、奥行きが３５０〜３６０mm程度の大きさに設定されている。尚、この実施例の仏壇は、図１に示すように所定高さの下台（収納庫となる）１０の上に載せて設置されるが、本願の仏壇は、該下台１０を要件とするものではない。
【００２１】
仏壇本体１内には、図２及び図３に示すように、内部に種々の仏具を設置するための固定棚板１４，１５やステイド棚板１６等が設置されている。
【００２２】
本願実施例の仏壇に使用されている扉体２は、図１及び図３に示すように、仏壇本体１の開口部１１の幅をほぼ３等分した３枚の分割扉２１，２２，２３で構成している。
【００２３】
そして、この扉体２は、左右各外側に位置する２枚の端部分割扉２１，２２を仏壇本体１の左右各側壁１２，１３の前部にそれぞれヒンジ４，４及び５，５で枢着している一方、中間に位置する１枚の中間分割扉２３を左側端部分割扉２２の自由端にヒンジ６，６で枢着して構成している。尚、この実施例の仏壇に使用されている扉体２では、各分割扉２１，２２，２３は、それぞれ図１及び図３に鎖線図示する符号２１′，２２′，２３′のように開放される。
【００２４】
このように、扉体２として仏壇本体１の開口幅１１をほぼ３等分する３枚の分割扉２１，２２，２３で構成し、該各分割扉を上記のように組付けると、中間分割扉２３が仏壇本体１の開口幅の中央位置に跨がって配置されることになる。そして、この実施例の扉体２では、右側端部分割扉２１の自由端と中間分割扉２３の自由端との間に突き合わせ部Ｐ（図１、図３参照）が形成されるが、この突き合わせ部Ｐは、扉体２の幅中央位置からかなり右側に寄った位置にある。
【００２５】
ところで、３枚の各分割扉２１，２２，２３は、それぞれの面積を単位として個別のデザインを施すことができる。そして、この実施例では、中間分割扉２３を左右の各端部分割扉２１，２２とは異なるデザインとしているが、この中間分割扉２３は、仏壇本体１の開口幅の中央位置に配置されるので、扉体外面の中央位置のかなりの面積部分（中間分割扉２３の面積）が突き合わせ部のない一連の連続面となる。従って、扉体２外面の中央位置のかなりの面積部分（中間分割扉２３の全面積）に連続する一連のデザインを施すことができるので、デザインの発展性が良好となって意匠面での多様化を図ることができる。
【００２６】
又、本願実施例の仏壇では、右側端部分割扉２１の裏面に、磁石３４によって吸着可能なフォトフレーム３を着脱自在に装着し得るようにしている。
【００２７】
このフォトフレーム３は、図４及び図５に拡大図示するように、台板（例えばプラスチック板製）３１と透明な被覆板（例えばアクリル板製）３３との間に写真３５を挟み込むようにしたものである。又、被覆板３３の四隅付近にはそれぞれ小径の磁石３４，３４・・を突出状態で取付けている一方、被覆板３３の四隅付近にそれぞれ磁石３４を挿通させるための小穴３２，３２・・を形成している。そして、このフォトフレーム３は、台板３１と被覆板３３間に写真３５を挟み込むが、その際、被覆板３３側の各磁石３４，３４・・をそれぞれ台板３１側の各小穴３２，３２・・に差し込んだときに、該各磁石３４，３４・・の先端面が台板３１の外面とほぼ面一状態に揃うようになっている（図５参照）。尚、台板３１と被覆板３３間に写真３５をセットした状態では、透明な被覆板３３を通して写真３５を見ることができる。
【００２８】
他方、右側端部分割扉２１の裏側には、薄い化粧板２１ａが取付けられている一方、該化粧板２１ａの内面（隠れる面）におけるフォトフレーム装着位置にかなりの面積を有した鉄板３０が装着（接着）されている。この鉄板３０の面積は、被覆板３３の面積よりやや大きいものであり、フォトフレーム３（４つの磁石３４，３４・・）が正規の装着位置に対して若干程度（例えば１０mm程度）上下左右に位置ずれしても、４つの磁石３４，３４・・がそれぞれ鉄板３０に対面し得るようになっている。尚、フォトフレーム３の各磁石３４，３４・・は、鉄板３０に対して化粧板２１ａを介して十分に吸着し得る磁力（フォトフレーム３が脱落しない程度の磁力）を有したものが使用されている。
【００２９】
そして、フォトフレーム３には、例えば死亡した人（位牌の人）の写真３５を台板３１と被覆板３３との間に装着しておき（被覆板３３側の各磁石３４，３４・・がそれぞれ台板３１側の各小穴３２，３２・・に挿通されている）、その写真３５入りのフォトフレーム３を右側端部分割扉２１の裏面（化粧板２１ａ）の鉄板３０対応部分に各磁石３４，３４・・で吸着させておくと、該右側端部分割扉２１を開く度にフォトフレーム３（図１の符号３′）の写真３５が現れる。従って、扉体開放の度にフォトフレーム３の写真３５が見えるので、故人（写真に写っている故人）に対するなつかしさが醸し出されるという機能がある。
【００３０】
又、このフォトフレーム３には別の写真３５を入れ替えることができるとともに、該フォトフレーム３が磁石吸着式であるので、不要時にはフォトフレーム３を端部分割扉２１の裏面から取外しておくこともできる。尚、フォトフレーム３を端部分割扉２１の裏面に装着しない状態で使用する場合には、鉄板３０が化粧板２１ａの内側に設置されているので該鉄板３０が見えず、フォトフレーム３を装着可能としたものであってもデザイン的に何ら違和感が生じない。
【００３１】
尚、この実施例では、フォトフレーム３を右側端部分割扉２１側に装着し得るようにしているが、他の実施例では、該フォトフレーム３を左側端部分割扉２２側に装着したり、あるいは左右の端部分割扉２１，２２の両方にフォトフレーム３を装着し得るようにしてもよい。
【符号の説明】
【００３２】
１は仏壇本体、２は扉体、３はフォトフレーム、４，５，６はヒンジ、１１は開口部、１２，１３は側板，２１，２２は端部分割扉、２３は中間分割扉、３０は鉄板、３１は台板、３３は被覆板、３４は磁石、３５は写真である。
【図１】
0003177388.tif 000003
【図２】
0003177388.tif 000004
【図３】
0003177388.tif 000005
【図４】
0003177388.tif 000006
【図５】
0003177388.tif 000007
【図６】
0003177388.tif 000008
【図７】
0003177388.tif 000009